(57)【要約】【課題】品質が良好であり、しかも、諸特性が部位に関わらず略同等である鋳造品を得る。【解決手段】鋳造装置１０を用いて鋳造作業を行う際、第１取鍋１２に貯留された溶湯１４を第２取鍋１６に移液する最中に、第１取鍋１２から第２取鍋１６に向かって流動する溶湯１４に対し、計量ホッパ１８を介して接種剤２６を接種する。このようにして接種剤２６が接種された溶湯１４が、第２取鍋１６に受領される。さらに、第２取鍋１６内の接種済の溶湯１４が所定の量となった後、該溶湯１４を金型２０に注湯する。溶湯１４がキャビティ３６内で冷却固化することにより、鋳造品が得られる。【選択図】図１
2012161807.tif 000002
【特許請求の範囲】
【請求項１】
接種剤が接種された溶湯を金型に注湯して鋳造品を得る鋳造方法において、
第１取鍋に貯留された溶湯を第２取鍋に移液するとともに、前記第１取鍋から前記第２取鍋に向かって流動する前記溶湯に対して接種剤を接種する工程と、
前記接種剤が接種された前記溶湯を、前記第２取鍋で所定量となるまで受領する工程と、
前記第２取鍋に受領された所定量の前記溶湯を金型に注湯し、鋳造品を得る工程と、
を有することを特徴とする鋳造方法。
【請求項２】
請求項１記載の鋳造方法において、前記第１取鍋から前記第２取鍋への前記溶湯の移液量を、１回の注湯を行う量のみとすることを特徴とする鋳造方法。
【請求項３】
接種剤が接種された溶湯を金型に注湯して鋳造品を得るための鋳造装置において、
溶湯を貯留するための第１取鍋と、
前記第１取鍋から導出される前記溶湯を受領する第２取鍋と、
前記第１取鍋から前記第２取鍋に向かって流動する前記溶湯に対して接種剤を接種する接種剤接種手段と、
前記接種剤が接種された後に前記第２取鍋に受領された前記溶湯が注湯される金型と、
を有することを特徴とする鋳造装置。
【発明の詳細な説明】
【技術分野】
【０００１】
本発明は、接種剤が接種された溶湯を金型に注湯して鋳造品を得る鋳造方法及びその装置に関する。
【背景技術】
【０００２】
鋳鉄の溶湯から鋳造品を得る際、溶湯に対して接種剤を接種することが一般的に行われている。例えば、ねずみ鋳鉄の場合、接種剤を接種することにより、組織中の黒鉛粒の粒径が小さな鋳造品を得ることができる。このような鋳造品は、強度に優れる。
【０００３】
接種剤は、例えば、取鍋に貯留された溶湯に対して接種されるが、この場合、接種剤を接種してから金型に溶湯を注湯するまでに長時間が経過すると、接種効果が低減する、いわゆるフェーディングを招く。これを防止するべく、取鍋から金型に注湯される最中の流動する溶湯（以下、溶湯流ともいう）に対して接種剤を接種する、いわゆる湯流れ接種や、キャビティに接種剤を予め収容した後で金型内に注湯を行うことによって、キャビティで溶湯に接種剤を接種する、いわゆる鋳型内接種が行われることもある。
【０００４】
さらに、特許文献１に記載される接種法が知られている。この場合、先ず、溶湯が大取鍋から小取鍋に移液され、次に、小取鍋に貯留された溶湯に対して接種剤が接種される。その後、溶湯が小取鍋から金型に注湯されている。
【先行技術文献】
【特許文献】
【０００５】
【特許文献１】特開平９−１７４２２９号公報
【発明の概要】
【発明が解決しようとする課題】
【０００６】
特許文献１に記載されるように小取鍋内の溶湯に対して接種剤を接種する場合、小取鍋内にノロや酸化物等の不純物が生成する。これらのノロないし酸化物等は、小取鍋の内壁面に付着・堆積する傾向がある。この堆積物を除去することなく鋳造作業を継続すると、堆積物によって小取鍋の内部が狭小化される。換言すれば、小取鍋の内部形状が変化する。
【０００７】
このような事態が生じると、注湯速度が変化し、注湯の開始時における溶湯温度と、終了時における溶湯温度との差が大きくなったり、溶湯の流れに乱れが生じたりする原因となる。その結果、引け巣、湯境、異物かみ等の鋳造欠陥が発生し易くなり、鋳造品の品質が低下してしまう。
【０００８】
また、小取鍋内の溶湯に対して接種を行った場合には、鋳造品の部位によって組織中の黒鉛粒の粒度にバラツキが認められる。黒鉛粒の粒度が相違する部位同士は、諸特性も相違する。このことから諒解されるように、この場合、全体にわたって諸特性が略同等である鋳造品を得ることが容易ではないという不具合が顕在化している。この理由は、小取鍋内の溶湯に接種された接種剤が、溶湯内に均等に分散していないためであると推察される。
【０００９】
本発明は、上記した問題を解決するためになされたもので、鋳造欠陥の発生を低減し得、しかも、全体にわたって諸特性が略同等である鋳造品を得ることが可能な鋳造方法及びその装置を提供することを目的とする。
【課題を解決するための手段】
【００１０】
前記の目的を達成するために、本発明は、接種剤が接種された溶湯を金型に注湯して鋳造品を得る鋳造方法において、
第１取鍋に貯留された溶湯を第２取鍋に移液するとともに、前記第１取鍋から前記第２取鍋に向かって流動する前記溶湯に対して接種剤を接種する工程と、
前記接種剤が接種された前記溶湯を、前記第２取鍋で所定量となるまで受領する工程と、
前記第２取鍋に受領された所定量の前記溶湯を金型に注湯し、鋳造品を得る工程と、
を有することを特徴とする。なお、「所定量」が注湯に必要な量以上であることは勿論である。
【００１１】
本発明においては、２個の取鍋を用いるとともに、取鍋同士の間で移液される最中の溶湯に対して接種剤の接種を行う。この接種済の溶湯が、第２取鍋内に順次導入される。従って、第２取鍋内の溶湯に対流が生じる。先に第２取鍋に導入された溶湯が、後から流下する溶湯によって押圧されて一旦下方に流動した後、さらに押圧されて上方に流動するからである。
【００１２】
接種剤は、この対流する溶湯に同伴されて溶湯中を移動する。その結果、接種剤が溶湯中に略均等に拡散する。このため、溶湯中に、接種剤の濃度が局所的に大きくなった部位や、小さくなった部位が形成されることが回避される。
【００１３】
このようにして接種剤が溶湯中に略均等に分散される結果、ねずみ鋳鉄の場合には、金属組織中の黒鉛粒の粒度が略揃う。すなわち、部位によって黒鉛粒の粒度が相違することが回避される。従って、全体にわたって諸特性が略同等な鋳造品を得ることができる。加えて、引け巣が発生することが抑制される。
【００１４】
また、第２取鍋内の溶湯にノロや酸化物等が生成したとしても、これらノロないし酸化物も、対流する溶湯に同伴されて溶湯内を移動する。従って、第２取鍋の内壁に付着物や堆積物が発生することが回避される。
【００１５】
このため、第２取鍋から金型への注湯速度が変化することを防止することができる。その結果、注湯の開始時と終了時とで溶湯の温度差が大きくなったり、溶湯の流れに乱れが生じたりすることが防止される。従って、引け巣や湯境、異物かみ等が発生することが抑制され、結局、高品質の鋳造品を得ることができるようになる。
【００１６】
以上のようにして鋳造作業を実施するに際しては、第１取鍋から第２取鍋への溶湯の移液量を、１回の注湯を行う量のみとすることが好ましい。この場合、第２取鍋に受領された接種済の溶湯の全てを金型に注湯するので、フェーディングが発生した溶湯が残留することを回避することができる。従って、接種効果を再び得るべく再接種を行う必要がないので、省資源化を図ることができる。
【００１７】
また、本発明は、接種剤が接種された溶湯を金型に注湯して鋳造品を得るための鋳造装置において、
溶湯を貯留するための第１取鍋と、
前記第１取鍋から導出される前記溶湯を受領する第２取鍋と、
前記第１取鍋から前記第２取鍋に向かって流動する前記溶湯に対して接種剤を接種する接種剤接種手段と、
前記接種剤が接種された後に前記第２取鍋に受領された前記溶湯が注湯される金型と、
を有することを特徴とする。
【００１８】
このように構成することにより、上記した鋳造方法を実施することができる。従って、鋳造欠陥が低減されるとともに、全体にわたって諸特性が略同等である鋳造品を得ることが可能となる。
【発明の効果】
【００１９】
本発明によれば、第１取鍋及び第２取鍋を用いるとともに、第１取鍋から第２取鍋に移液される最中の溶湯に対して接種剤の接種を行うようにしているので、
第２取鍋内で溶湯に対流が生じ、このために接種剤が溶湯中に略均等に拡散するとともに、第２取鍋の内壁に付着物や堆積物が発生することが回避される。その結果、全体にわたって略同等の金属組織が形成されたために諸特性が略同等であり、しかも、鋳造欠陥が発生することが抑制された高品質の鋳造品を得ることができる。
【図面の簡単な説明】
【００２０】
【図１】本発明の実施の形態に係る鋳造方法を実施するための鋳造装置の概略側面一部断面図である。
【図２】図１の鋳造装置を構成する第２取鍋内の溶湯に対流が生じていることを模式的に示す概略縦断面図である。
【図３】実施例によって得られた鋳造品と、比較例１〜４によって得られた鋳造品の評価結果である。
【発明を実施するための形態】
【００２１】
以下、本発明に係る鋳造方法につき、それを実施する鋳造装置との関係で好適な実施の形態を挙げ、添付の図面を参照して詳細に説明する。なお、本実施の形態においては、鋳鉄の溶湯を用いてカムシャフトを作成する場合を例示する。
【００２２】
図１は、本実施の形態に係る鋳造装置１０の概略側面一部断面図である。この鋳造装置１０は、第１取鍋１２と、該第１取鍋１２から導出される鋳鉄の溶湯１４を受領する第２取鍋１６と、これら第１取鍋１２と第２取鍋１６の間に配置された計量ホッパ１８（接種剤接種手段）と、第２取鍋１６から導出された溶湯１４が注湯される金型２０とを備える。
【００２３】
第１取鍋１２は、第１台座２１に支持される。この第１台座２１は、例えば、ピニオンギア等からなる第１傾動機構２２を介して、第２台座２３に傾動自在に支持されている。該第２台座２３は、図示しない変位機構の作用下に、上下方向と、水平方向の互いに直交する２軸との合計３軸の方向に変位可能であり、この変位により、第１取鍋１２を第１台座２１及び第１傾動機構２２ごと任意の位置に移動させる。
【００２４】
勿論、第１傾動機構２２は、第１取鍋１２を任意の角度まで傾動・停止させることが可能である。このようにして第１取鍋１２が第１傾動機構２２の作用下に傾動されることに伴い、第１取鍋１２に貯留された溶湯１４が第２取鍋１６に向かって流下する。すなわち、溶湯１４が第２取鍋１６に移液される。
【００２５】
計量ホッパ１８は、上記のようにして第１取鍋１２から第２取鍋１６に移液される溶湯１４に接種剤２６を接種するためのものであり、その出口管には、バルブ２４が介装される。この計量ホッパ１８には、例えば、Ｆｅ−Ｓｉ系合金等の公知の接種剤２６が予め収容される。
【００２６】
第２取鍋１６は第３台座２７に支持されており、この第３台座２７は、第１台座２１と同様に、例えば、ピニオンギア等からなる第２傾動機構２８を介して第４台座２９に傾動自在に支持されている。この第４台座２９は、第２台座２３と同様に、図示しない変位機構の作用下に、上下方向と、水平方向の互いに直交する２軸との合計３軸の方向に変位可能である。この変位により、第２取鍋１６が第３台座２７及び第２傾動機構２８ごと任意の位置に移動される。
【００２７】
また、第２取鍋１６は、第２傾動機構２８の作用下に、任意の角度まで傾動・停止される。この傾動に伴い、第２取鍋１６に受領された溶湯１４が金型２０内に注湯される。
【００２８】
この場合、金型２０は、内燃機関を構成するカムシャフトを複数本同時に得るためのものである。従って、金型２０には、注湯口３０の下流側に押湯室３２に連通するランナ３４が形成されるとともに、このランナ３４から分岐し、各々の形状がカムシャフトの形状に対応するキャビティ３６が複数個形成される。注湯口３０から導入された溶湯１４は、押湯室３２を経た後、ランナ３４から分配されて各キャビティ３６に導入される。なお、前記押湯室３２には、フィルタ３５が配設される。
【００２９】
本実施の形態では、金型２０は、略直方体形状をなし、且つその軸線方向が略水平方向に沿って延在するように、換言すれば、横臥するようにして設置された固定型３８及び可動型４０を有する。下方の固定型３８は位置決め固定され、一方、上方の可動型４０は、図示しない昇降機構の作用下に略鉛直方向に沿って変位することが可能である。この変位に伴い、可動型４０が固定型３８に対して接近又は離間する。
【００３０】
本実施の形態に係る鋳造装置１０は、基本的には以上のように構成されるものであり、次に、その作用効果につき、本実施の形態に係る鋳造方法との関係で説明する。
【００３１】
金型２０によってカムシャフトを作製するに際しては、はじめに、図示しない溶解炉にて溶湯１４が生成される。この溶湯１４が、第１取鍋１２に貯留される。なお、第１取鍋１２には、複数個のキャビティ３６の全容積と、注湯口３０からランナ３４に至るまでの容積との総和に対応する量、すなわち、１回の注湯量に相当する量の溶湯１４を貯留することが好ましいが、それより多くの溶湯１４を貯留するようにしても差し支えない。
【００３２】
次に、第１傾動機構２２を付勢することにより、図１に示すように、第１取鍋１２を傾動させる。この傾動により、溶湯１４が所定の速度で第２取鍋１６に向かって流動を開始する。すなわち、溶湯流が形成される。勿論、第１取鍋１２及び第２取鍋１６は、この溶湯流が形成されるより前に、前記変位機構の作用下に第１台座２１及び第３台座２７が変位されることによって、第１台座２１、第２台座２３、第３台座２７及び第４台座２９ごと所定の適切な位置に移動されている。
【００３３】
この流動開始と同時、又は若干後に、前記バルブ２４が解放される。従って、計量ホッパ１８に予め収容された接種剤２６が自重によって流下し、出口管から導出されて溶湯流に接種される。すなわち、本実施の形態においては、接種剤２６は、第１取鍋１２から第２取鍋１６に移液されている最中の溶湯１４に対して接種される。
【００３４】
接種剤２６が接種された溶湯１４は、第２取鍋１６に受領される。図２に模式的に示すように、先に第２取鍋１６に導入された溶湯１４は、後から流下する溶湯１４によって一旦下方に押圧され、その後、上昇するように流動する。その結果、図２中に矢印で示すように、第２取鍋１６中の溶湯１４に対流が生じる。接種剤２６は、この対流する溶湯１４に同伴されて該溶湯１４中を移動する。これにより、接種剤２６を溶湯１４中に略均等に拡散させることができる。
【００３５】
また、溶湯１４にノロや酸化物等の不純物が生成したとしても、これらノロないし酸化物等は、接種剤２６と同様に、対流する溶湯１４に同伴されることで第２取鍋１６内を移動する。このため、第２取鍋１６の内壁にノロや酸化物等が付着したり、堆積したりすることが抑制される。その結果、堆積物によって第２取鍋１６の内部が狭小化することが回避される。
【００３６】
接種剤２６の接種終了タイミングは、１回の注湯量に相当する量の溶湯１４が第１取鍋１２から流下する直前、又は略同時とすることが好ましい。このように溶湯１４の第１取鍋１２から第２取鍋１６への流動開始から終了に至る間に略均等に接種剤２６を接種する場合、接種剤２６の濃度が局所的に大きくなることを容易に回避し得るからである。換言すれば、接種剤２６を溶湯１４中に略均等に分散させることが容易となるからである。
【００３７】
なお、接種剤２６の接種は、前記バルブ２４（図１参照）が閉止されるか、又は、計量ホッパ１８に予め収容された接種剤２６の全量が流下することによって終了する。
【００３８】
以上のようにして、接種済の溶湯１４が第２取鍋１６に受領される。ここで、第２取鍋１６に受領される接種済の溶湯１４の量は、１回の注湯量に相当する量とすることが好ましい。この場合、接種済の溶湯１４が全て鋳造作業に供されるので、第２取鍋１６に長時間貯留される残渣がない。このため、上記したフェーディングを回避することができる。
【００３９】
なお、第１取鍋１２に貯留する溶湯１４の量を、１回の注湯量に相当する量とすることにより、第２取鍋１６に受領される接種済の溶湯１４の量を、１回の注湯量に相当する量とすることが容易となる。この場合、第１取鍋１２に貯留された溶湯１４の全量を第２取鍋１６に移液すればよく、如何なる程度の量の溶湯１４を第１取鍋１２に残留させるかを算出したり、その量が残留し得るように第１取鍋の傾動角度を制御したりする必要がないからである。
【００４０】
第２取鍋１６に所定量、好ましくは１回の注湯量に相当する量の溶湯１４が受領された後、フェーディングが生じることを回避するべく、可及的速やかに第２傾動機構２８が付勢される。従って、溶湯１４の第２取鍋１６内の滞留時間は比較的短く、４０〜４５秒程度である。
【００４１】
第２取鍋１６が傾動することにより、溶湯１４が所定の速度で金型２０の注湯口３０に向かって流動を開始する。すなわち、溶湯１４の金型２０内への注湯が開始される。
【００４２】
注湯口３０から押湯室３２に流動した溶湯１４は、後から押湯室３２に導入される溶湯１４によって押圧され、ランナ３４に向かって流動する。この最中に前記フィルタ３５を通過する際に、溶湯１４中に生成したノロや酸化物等の各種の異物が除去される。溶湯１４は、さらに、ランナ３４から分配されて複数個のキャビティ３６の各々に導入される。
【００４３】
このようにして注湯が開始されてから全てのキャビティ３６に溶湯１４が充填されるまでの間、注湯速度が略一定に保たれる。上記したように、第２取鍋１６の内壁に堆積物が付着し難いために第２取鍋１６の内部が狭小化されることが回避されるからである。従って、注湯の開始時における溶湯温度と、終了時における溶湯温度との差が大きくなったり、溶湯１４の流れに乱れが生じたりすることが回避される。
【００４４】
全てのキャビティ３６に溶湯１４が充填された後、該溶湯１４は、所定の時間が経過することに伴って冷却固化する。これにより、カムシャフトが形成されるに至る。次に、可動型４０を変位されて固定型３８から離間させること、換言すれば、いわゆる型開きを行うことにより、カムシャフトが露呈する。
【００４５】
このカムシャフトの金属組織を走査型電子顕微鏡等で観察すると、粒度が略均等である比較的微細な黒鉛粒が略均一に分散していることが認められる。また、単位面積あたりの黒鉛粒の個数も、部位に関わらず略同等である。この理由は、上記したように第１取鍋１２から第２取鍋１６に流下している最中の溶湯１４（溶湯流）に接種剤２６を接種しているためであると推察される。すなわち、溶湯流が第２取鍋１６に導入される際、接種済の溶湯１４が第２取鍋１６内で対流を起こし、このために接種剤２６が溶湯１４内に略均等に分散するためであると考えられる。
【００４６】
また、上記したように注湯の開始から終了までの注湯速度が略一定に保たれるため、カムシャフトには、引け巣や湯境、異物かみ等の鋳造欠陥がほとんど認められない。
【００４７】
そして、金属組織中の黒鉛粒の粒度が略同等であるカムシャフトでは、部位に関わらず諸特性が略同等である。また、引け巣をはじめとする鋳造欠陥が発生することが回避されているので、外観品質に優れるとともに、局所的に強度が小さい部位が形成されることが回避される。結局、本実施の形態によれば、全体にわたって諸特性が略同等であり、且つ外観品質が良好なカムシャフトを得ることができる。
【００４８】
なお、上記した実施の形態では、鋳造品としてカムシャフトを得る場合を例示しているが、鋳造品が特にこれに限定されるものでないことはいうまでもない。勿論、金型も、上記した金型２０に特に限定されるものではない。
【００４９】
また、溶湯１４に対して球状化剤等をさらに添加するようにしてもよいことは勿論である。
【００５０】
そして、計量ホッパ１８から接種剤２６を導出するにあたっては、スクリュの回転や振動を利用して接種剤２６を少量ずつ下方に移動させるようにしてもよい。
【実施例】
【００５１】
図１に示される鋳造装置１０を用いて鋳造を行う際、第１取鍋１２から第２取鍋１６に向かう溶湯流に対して接種剤２６を接種した。すなわち、溶湯流接種を行った。さらに、接種済の溶湯１４を第２取鍋１６から金型２０内に注湯し、カムシャフトを作製した。これを実施例とする。
【００５２】
なお、溶湯１４、接種剤２６としては、ＦＣＤ４００相当材、ＳＦシリコン（大阪特殊合金社製のＦｅ−Ｓｉ系合金）をそれぞれ選定した。さらに、溶湯１４には、球状化剤としてのＪＭＭ−Ｎ３（東洋電化工業社製の３％Ｍｇ合金）を添加した。以下に説明する比較例１〜４においても同様である。ここで、「ＦＣＤ４００」は、ＪＩＳに規定されるダクタイル鋳鉄の規格である。
【００５３】
比較のため、第１取鍋１２内の溶湯１４を撹拌手段で撹拌しながら接種剤２６を接種し、その後、第２取鍋１６を用いず、第１取鍋１２から金型２０に直接注湯を行ってカムシャフトを作製した。これを比較例１とする。以下においては、この接種方法を「撹拌」と表記する。
【００５４】
また、第２取鍋１６を用いず、第１取鍋１２から金型２０に直接注湯を行うとともに、この際の溶湯流に接種剤２６を接種してカムシャフトを作製した。これを比較例２とする。
【００５５】
さらに、第２取鍋１６の底壁に接種剤２６を予め載置し、次に、第１取鍋１２から第２取鍋１６に溶湯１４を移液することで溶湯１４と接種剤２６を混合し、その後、注湯を行ってカムシャフトを作製した。前記移液の際には、溶湯流に対して接種剤２６を接種しなかった。これを比較例３とする。以下においては、この接種方法を「置き注ぎ」と表記する。
【００５６】
さらにまた、溶湯流に対して接種剤２６を接種することなく第１取鍋１２から第２取鍋１６に溶湯１４を移液した後、第２取鍋１６内の溶湯１４を撹拌手段で撹拌しながら接種剤２６を接種し、その後、接種済の溶湯１４を用いてカムシャフトを作製した。これを比較例４とする。
【００５７】
以上の実施例及び比較例１〜４のカムシャフトにつき、異物かみと引け巣の発生状況を評価した。なお、異物かみについては、カムシャフトの表面につき１００箇所以上をランダムに選定し、その中に異物かみが認められた箇所の個数に基づいて、割合として求めた。
【００５８】
また、引け巣については、カムシャフトの金属組織中に存在する単位面積当たりの黒鉛粒の個数を１００箇所以上計測し、黒鉛粒の個数の分布幅を求めた。個数の分布幅が小さいほど黒鉛粒の分布が均等であり、引け巣の発生が少なく諸特性が同等であることを意味する。逆に、個数の分布幅が大きいほど引け巣の発生が多く諸特性にバラツキが認められることを表す。
【００５９】
評価結果を、図３に併せて示す。この図３から、第１取鍋１２及び第２取鍋１６を使用する実施例及び比較例３、４では、第１取鍋１２のみを使用する比較例１、２に比して、異物かみの発生率を著しく低減することができることが分かる。
【００６０】
さらに、溶湯流接種を行う実施例と、置き注ぎによる接種を行う比較例３、撹拌による接種を行う比較例４とを対比して諒解されるように、第１取鍋１２及び第２取鍋１６を使用することと、溶湯流接種とを併用することで引け巣が発生することを抑制するとともに、部位に関わらず諸特性が略同等であるカムシャフトを得ることができる。この理由は、溶湯流接種の場合、置き注ぎや撹拌による接種に比して、接種剤２６を溶湯１４中に略均等に分散させることが容易となるからであると推察される。この推察は、比較例１と比較例２における引け巣の発生状況の差からも支持される。
【００６１】
以上から、第１取鍋１２及び第２取鍋１６を使用し、且つ第１取鍋１２から第２取鍋１６に向かって流動する溶湯１４（溶湯流）に対して接種を行う実施例によれば、異物かみや引け巣が発生することを抑制し得ることが明らかである。
【符号の説明】
【００６２】
１０…鋳造装置                    １２…第１取鍋
１４…溶湯                        １６…第２取鍋
１８…計量ホッパ                  ２０…金型
２２…第１傾動機構                ２６…接種剤
２８…第２傾動機構                ３６…キャビティ
３８…固定型                      ４０…可動型
【図１】
2012161807.tif 000003
【図２】
2012161807.tif 000004
【図３】
2012161807.tif 000005